(57)【特許請求の範囲】
【請求項１】
ベースシート、軟質プラスチック材料カバー、及びファンアセンブリによって定められた実質的に閉じたスペースを有する保管室であって、該カバーの周縁が該ベースシートに結合されているが、該スペースにアクセスできるように、該カバーが少なくとも部分的に該ベースシートから分離可能になっており、該ファンアセンブリが、該実質的に閉じたスペースに空気を送り込んで保管室を膨張させる為に、該カバーを貫通する開口に取りつけられた電動ファンを含む、保管室において、
該ファンアセンブリが、該カバーを貫通する開口に取りつけるのに適したベース板であって、該ベース板を貫通する開口を定めるベース板を有し、第一のプレナムチャンバーがファンの上流側に形成され、該ファンが第一のプレナムチャンバーから空気を引き込み、その空気をベース板内の開口を通して該スペース内に送り込み、該ファンアセンブリが、さらに、該スペースと該第一のプレナムチャンバーとの間にある、該ベース板を貫通するさらなる開口内にまたは該開口を覆って配置されている空気処理ユニットと、該第一のプレナムチャンバーと外気との間にある開口内にまたは該開口を覆って配置されている第一のフィルターと、を含み、該スペースに送り込まれる空気が、該第一のフィルターを通して外気から引き込まれた空気と、該スペースから該空気処理ユニットを通して該第一のプレナムチャンバー内に引き込まれ、該スペース内に再循環される空気との混合物であり、当該空気処理ユニットと外気との間に配置された第二のプレナムチャンバーが存在し、第二のフィルターが、外気から該第二のプレナムチャンバーに入ってくる空気をろ過するために該第二のプレナムチャンバーに対して配置されている、
ことを特徴とする保管室。
【請求項２】
当該空気処理ユニットが第三のフィルターから成ることを特徴とする請求項１に記載の保管室。
【請求項３】
当該第三のフィルターが活性炭フィルターから成ることを特徴とする請求項２に記載の保管室。
【請求項４】
当該第三のフィルターが当該ベース板の当該開口内に備えられ、ファンが、該フィルターを貫通するように形成される開口内に取りつけられることを特徴とする請求項２または３に記載の保管室。
【請求項５】
ファンが、弾性材料のブロックを貫通する開口内に取りつけられ、該弾性材料が、ベース板を貫通する開口内に支持されることを特徴とする請求項１から３の中のいずれか１つに記載の保管室。
【請求項６】
当該空気処理ユニットが、当該スペースから当該第一のプレナムチャンバーへの空気流内に処理液を連行する手段を有することを特徴とする請求項１から５の中のいずれか１つに記載の保管室。
【請求項７】
当該処理液が、当該スペース内に保管された物品の腐食防止を助ける気相の腐食防止剤を含むことを特徴とする請求項６に記載の保管室。
【請求項８】
当該空気処理ユニットが、当該スペースから当該第一のプレナムチャンバーへの空気流を冷却する手段を有することを特徴とする請求項１から７の中のいずれか１つに記載の保管室。
【請求項９】
当該空気処理ユニットが、空気流から凝縮した液体のための、したがって該空気流の水分含有量を低下させるための排出管を有することを特徴とする請求項８に記載の保管室。
【請求項１０】
当該空気処理ユニットが、当該スペースから当該第一のプレナムチャンバーへの空気流から除去する乾燥剤を有することを特徴とする請求項１から７の中のいずれか１つに記載の保管室。
【請求項１１】
当該第二のフィルターが、間隙を有して当該第一のフィルターを覆うように当該ベース板に取りつけられ、それによって該第一のフィルターと協働して第二のプレナムチャンバーを定めることを特徴とする請求項１から１０の中のいずれか１つに記載の保管室。
【請求項１２】
当該第二のフィルターが、耐候性の材料で作られた多層繊維フィルターから成ることを特徴とする請求項項１から１１の中のいずれか１つに記載の保管室。
【請求項１３】
当該第一のフィルターが、開放気泡構造を有する多孔質フィルターから成ることを特徴とする請求項１から１２の中のいずれか１つに記載の保管室。
【発明の詳細な説明】
【０００１】
本発明は、換気のためのファンアセンブリと協働する、実質的に閉じたスペースの形の保管室に関する。
【０００２】
物品、たとえばビンテージカーおよびオートバイ、または他の取り扱いに注意の必要な機械類たとえば航空機関（ａｅｒｏ−ｅｎｇｉｎｅｓ）、のための公知の形の膨張式保管室は、欧州特許公開公報ＥＰ−０８５９１０５−Ａに記載されており、ベースシートに結合された柔軟なプラスチック材料カバーシートから成り、保管すべき物品を収容できる実質的に閉じたスペースが定められるようになっている。一つ以上の低電力ファンが配置され、二つのシートによって定められる室内に空気を送り込み、前記スペースを膨張させて、保管室を形成させるようになっている。たとえばビンテージカーの塗装（ｐａｉｎｔｗｏｒｋ）に損傷を与えうる、室内での水分の凝縮を防ぐために、室内にはいる空気を、たとえば気相腐食防止剤で処理することも、また室内の空気が外気からの新鮮な空気によってゆっくりと確実に置き換えられるようにすることも、公知である。
【０００３】
この膨張式保管室における一つの問題は、外気の相対湿度が大きい場合、保管室の内部で依然として凝縮が起りうるということであり、外気の温度が低下した場合には特にそうである。場合によっては、割合に湿度の高い新鮮な空気を導入するよりも室内の空気を再循環ほうが良いことがあり、室内の空気の湿度が室外の空気の湿度よりも低い場合には、特にそうである。手操作で開放または閉鎖できる換気孔を用意して制御可能なようにすることができるが、欧州特許公開公報ＥＰ−０８５９１０５−Ａに記載の膨張式保管室の目的は、たとえば気候条件が変化する場合でも、手操作による介入の必要なしで、物品を長期間にわたって保管できるということである。
【０００４】
空気の濾過の為のファンユニットは、例えばドイツ国特許公開公報ＤＥ−２９９１６３２１−Ｕ１から、周知であるが、このファンユニットは、無菌室の一部として製薬又はバイオ技術分野での使用を意図しており、自動車の保管室としての使用には実際に適していない。
【０００５】
以上のことから、本発明の主目的は、膨張式保管室とともに使用するのに適したファンアセンブリを提供することである。本発明の一つの好ましい実施形態におけるもう一つの目的は、そのようなファンアセンブリを備えた保管室を提供することであり、この保管室は、公知のこの種の保管室に比して、より良い働きを示し、特に室内での凝縮の可能性の低下に関してそうである。
【０００６】
したがって、本発明は、その一つの視点において、
ベースシート、軟質プラスチック材料カバー、及びファンアセンブリによって定められた実質的に閉じたスペースを有する保管室であって、該カバーの周縁が該ベースシートに結合されているが、該スペースにアクセスできるように、該カバーが少なくとも部分的に該ベースシートから分離可能になっており、該ファンアセンブリが、該実質的に閉じたスペースに空気を送り込んで保管室を膨張させる為に、該カバーを貫通する開口に取りつけられた電動ファンを含む、保管室において、
該ファンアセンブリが、該カバーを貫通する開口に取りつけるのに適したベース板であって、該ベース板を貫通する開口を定めるベース板を有し、第一のプレナムチャンバーがファンの上流側に形成され、該ファンが第一のプレナムチャンバーから空気を引き込み、その空気をベース板内の開口を通して該スペース内に送り込み、該ファンアセンブリが、さらに、該スペースと該第一のプレナムチャンバーとの間にある、該ベース板を貫通するさらなる開口内にまたは該開口を覆って配置されている空気処理ユニットと、該第一のプレナムチャンバーと外気との間にある開口内にまたは該開口を覆って配置されている第一のフィルターと、を含み、該スペースに送り込まれる空気が、該第一のフィルターを通して外気から引き込まれた空気と、該スペースから該空気処理ユニットを通して該第一のプレナムチャンバー内に引き込まれ、該スペース内に再循環される空気との混合物であり、当該空気処理ユニットと外気との間に配置された第二のプレナムチャンバーが存在し、第二のフィルターが、外気から該第二のプレナムチャンバーに入ってくる空気をろ過するために該第二のプレナムチャンバーに対して配置されている、
ことを特徴とする保管室を提供する。
【０００７】
容易にわかるように、本発明の保管室が、ファンアセンブリの運転により、膨張され、換気される時、すでに室内にある空気の一部がファンによって再循環させられるが、この再循環時に、第一のフィルターを通って外気から引込まれた新鮮な空気と混合される。このようにして、外気から引込まれたフィルター処理された空気による室内の空気の置換えが少なくなる。その結果、室内への空気流によって連行されうる処理剤の浪費が小さくなる。さらに、室内の空気の相対湿度の変化速度をずっと小さくすることができ、したがって室内に保管されている物品上での、損傷を起しうる凝縮の可能性が最小限に抑えられる。
【０００８】
保管室と該保管室に保管される物品との種類に応じて、空気処理ユニットはいろいろな形のものとすることができる。たとえば、該ユニットは、簡単な第三のフィルターから成るようにすることができるが、ろ過能力または気孔寸法に関して、第一のフィルターとは異なるものとすることができる。あるいは、この第三のフィルターは異なる種類のものたとえば活性炭フィルターとすることもできる。
【０００９】
第三のフィルターは、ベース板の開口内に備えることができ、あるいは該開口に封止することができ、該フィルター自身が、ファンを取りつける開口を有することができる。あるいは、ファンを、堅固であるが弾性のある材料のブロックを貫通する開口に取りつけることができる。この弾性材料はベース板を貫通する開口内にまたは該開口を覆うように支持される。
【００１０】
空気処理ユニットのもう一つの可能な形態は、閉じたスペースから第一のプレナムチャンバーへの空気流内に処理液を連行するための手段を有するというものである。そのような処理液は、保管室内に保管される物品の腐食の可能性を低下させるための公知の種類の気相腐食防止剤を含むことができる。空気処理ユニットのもう一つの可能な形態は、保管室から第一のプレナムチャンバーへの空気流を冷却するための手段を有するというものである。この空気流の十分な冷却が行われれば、該空気流内の水分が凝縮して除去され、したがって保管室に再び流入する空気流の水分含有量を減少させることができる。この場合、保管室外への排出管を備えて、凝縮水をたとえば容器内に排出することができる。空気処理ユニット内に適当な乾燥剤を配置することによっても実質的に同じ効果が得られる。
【００１１】
本発明のファンアセンブリは、前記空気処理ユニットと外気との間に配置された第二のプレナムチャンバーを有し、第二のフィルターが、外気から該第二のプレナムチャンバーにはいってくる空気をろ過するために該第二のプレナムチャンバーに対して配置されるようにすることができる。この第二のフィルターは、間隙を有して前記第一のフィルターを覆うように前記ベース板に取りつけることができ、それによって第二のプレナムチャンバーが、前記第一および第二のフィルターならびにベース板によって、定められる。
【００１２】
前記第二のフィルターは、好ましくは耐候性および防水性の材料で作られた多層繊維フィルターから成ることができる。それに対して、前記第一のフィルターは、第二のフィルターの細孔よりも小さな細孔寸法の多孔質開放気泡（ｏｐｅｎ−ｃｅｌｌｕｌａｒ）構造を有することができる。
【００１３】
以下、添付の図面を参照しつつ、本発明のいくつかの特定実施形態について詳しく説明する。これらの実施形態は単なる例である。
【００１４】
まず図１を参照すると、公知の種類の膨張式保管室が示してある。この保管室は、プラスチック材料ベースシート１０を有し、該シートには、カバーシート１１が着脱自在に取りつけてある。カバーシート１１は、横方向と縦方向の両断面で見たとき、大体長方形を有するように予備成形してある。二つの部分から成る（ｔｗｏ−ｐａｒｔ）ファスナー１２は、第一の部分と第二の部分とを有し、第一の部分は、カバーシート１１の下のへりの周囲に延びており、第二の部分は、ベースシート１０の周縁のまわりに延びている。このファスナーの二つの部分は、結合して、カバーシート１１をベースシート１０に固定することができるようになっている。たとえば、ファスナー１２は、プラスチッククラスプ（ｃｌａｓｐ）ファスナー（たとえば、商標Ｚｉｐで市販されている種類のもの）またはフックとループの（ｈｏｏｋ  ａｎｄ  ｌｏｏｐ）ファスナー（たとえば、商標Ｖｅｌｃｒｏで市販されているもの）とすることができる。どの形のファスナーを使用する場合でも、カバーシート１１がベースシートから割合に容易に取りはずせるようにすべきであるが、このファスナーがカバーシートをベースシートに結合するときには、この二つのシートがしっかりと結合されるようにすべきである。
【００１５】
二つの円形孔がカバーシート１１の端壁１３に成形してあり、これらの孔の各々にそれぞれのファンアセンブリ１４が取りつけてある。これらのアセンブリ１４は、外気から空気を引込んで、該空気を保管室内に送り込むように構成されている。動作の初期段階では、ファンアセンブリは保管室を膨張させ、室内の空気圧が過圧になるようにし、そのあと保管室内のこの圧力が維持される。ファスナー１２から漏れる空気は外気から引込まれた新鮮な空気によって置き換えられる。ファスナーからの漏れ以外にも漏れを起させるために、カバーシート１１を貫通する換気孔（図示せず）を備えることができ、該換気孔は保管室からの空気の流出量を制御するために調節できるようにすることができる。
【００１６】
図２には、端壁１３に取りつけられたファンアセンブリ１４の一つを通る断面が示されている。このファンアセンブリはベース板１７を有し、該ベース板には周縁フランジ１８が備えてあって、該フランジによって、ベース板が保管室の端壁１３の孔に取りつけられている。この取りつけのために、端壁の材料を、たとえば、端壁の材料に前記孔を包囲するように取りつけられた、第二の割合に丈夫なプラスチック材料の環状片１９によって補強することができ、このとき、フランジ１８は、第二の材料片１９と端壁自身の材料との間に挟まれる。
【００１７】
ベース板１７は、該ベース板を貫通する円形開口２１を定め、該開口の端２３に多孔質開放気泡構造の第一のフィルター２２が取りつけてある。このベース板は、開口２１の領域に凹部２４を定め、該凹部内に、活性炭フィルター２５が配置してある。開口２６が活性炭フィルター２５を貫通して延びており、該開口２６内に電動ファンが装着されている。図２には模式的に示されているが、このファンは、枠２９内に支持された電動機（図示せず）の軸上に支持された羽根車２８から成り、枠２９は開口２６内に配置されている。この電動機は一般に低圧直流電動機であり、ファン全体は、コンピュータ産業において電源その他の冷却のために広く使用されているものに似たものとすることができる。このファンは、ファン枠２９をベース板１７に連結する絶縁体３０によってさらに支持し、活性炭フィルター２５に加わる荷重を軽減することができる。
【００１８】
前記の実施形態においては、第一のプレナムチャンバー３１が活性炭フィルター２５、ベース板１７、および第一のフィルター２２の間に定められる。ファン２７を動かして、ファンアセンブリが取りつけられた保管室内に空気を送り込む場合、空気は、第一のフィルター２２または活性炭フィルター２５を通って、プレナムチャンバー３１内にはいることができる。
【００１９】
全体が凸の形をした第二のフィルター３３は、その周縁が、ベース板１７に備えられたリップ３４上に支持されていて、第一のフィルター２２を覆って延びているが、第二のプレナムチャンバー３５を定める間隙を形成するようになっている。したがって、第一のフィルター２２を通過して第一のプレナムチャンバー３１にはいる空気は、まず外気から第二のフィルター３３を通過して第二のプレナムチャンバー３５にはいらなければならない。
【００２０】
通常の動作においては、保管室内に送り込まれる空気は、保管室から引込まれて再循環させられる空気と保管室の外部から引込まれて保管室から漏れたものを補充する少量の空気との混合物から成る。保管室が膨張したままである限り、第一のプレナムチャンバー３１は、保管室内からの戻り空気流によって過圧に保たれる。したがって、保管室の外から第二のフィルター３３を通ってくる空気流は、第一のプレナムチャンバー３１内の過圧によって強く制限される。保管室からの漏れが、保管室内の圧力が低下しはじめるほど大きい場合にのみ、空気は、第二のプレナムチャンバーから第一のプレナムチャンバーに流入して損失を補う。
【００２１】
保管室の最初の膨張時には、ファンによって保管室内に送り込まれる空気は、すべて保管室を膨張させるために使用される。したがって、この動作段階においては、活性炭フィルター２５を通って第一のプレナムチャンバー３１にはいる戻り流は存在せず、ファンによって保管室に送り込まれる空気はすべて第二のプレナムチャンバー３５から得られる。
【００２２】
前記の作用を実現するためには、第一のフィルター２２と第二のフィルター３３とが適当な特性を有することが大切であり、この特性は実験により容易に決定することができる。たとえば、第一のフィルター２２は割合に小さな気孔寸法の開放気泡タイプのものとすることができ、また第二のフィルター３３はより大きな気孔寸法を有する多層繊維フィルターから成ることができる。第二のフィルター３３は耐候性材料のものとすることができるが、図１に示すように、ファンアセンブリはルーバー付きカバー３６によって保護することができる。
【００２３】
図３には、全体に図２のものと似た、ファンアセンブリの第二の実施形態を示す。この図において、同様の部品は同じ参照番号で示す。そのような部品については以下では述べない。
【００２４】
図３の構成においては、図２の活性炭フィルター２５が開放気泡ポリウレタンフォームフィルター３８で置き換えられている。液体貯蔵容器３９がフィルター３８の上方に配置され、ノズル４０を有している。該ノズルは容器からフィルター３８への液体の流出を制御するオリフィスを有している。この場合、フィルター３８には容器３９からの液体が含浸させられ、該フィルターを通過する空気流はこの液体を蒸気の形で連行することになる。したがって、保管室にはいる空気流は蒸気を運び、保管室内にどんな物品が置かれているかにかかわりなく、処理を行う。一般に、容器３９内の液体は気相腐食防止剤であるが、代りに他の化学物質たとえば燻蒸剤または殺虫剤とすることができる。
【００２５】
図４に、第三のファンアセンブリを示し、この場合も前記実施形態におけると同様の部品は同じ参照番号で示し、これらの部品についてはやはり以下では述べない。ファン２７は堅固であるが弾性のあるフォームの取りつけ台４１上に支持してあり、該取りつけ台はベース板１７に類似のベース板４２の凹部に押し込まれている。ベース板４２も隔室４３を有し、該ベース板を貫通するもう一つの開口４４が隔室４３の内部と連絡している。隔室４３の内部には、フィン４６を有するペルチエ素子４５が取りつけてあり、該ペルチエ素子が作動すると、フィン４６により、該素子上を流れる空気が冷却される。冷却が十分に強力な場合には、保管室から出てきて前記素子上を流れる空気流内の水分が凝縮して、隔室４３の底部の水トラップ４７内に落下する。排出管４８が水トラップ４７から保管室の外部に通じている。
【００２６】
図４の装置は、その他の点では、図２に関して前述したものと実質的に同様に動作する。
【００２７】
図５はファンアセンブリのさらにもう一つの実施形態である。このアセンブリは図４に示すものと似ている。ここでも、同様の部品は同じ参照番号で示し、またこれらについては説明しない。図５の構成においては、ペルチエ素子４５が多孔質バッグ内またはカード（ｃａｒｄ）上に配置された乾燥剤４９で置き換えられている。この乾燥剤はファンによって再循環されられている空気流から水分を取り去る。乾燥剤が飽和すると、前記の実施形態の場合と同様に、水が水トラップ４７内に落下し、それから排出管４８にはいり、保管室から排出される。
【図面の簡単な説明】
【００２８】
【図１】  一対のファンアセンブリを有する、本発明によって構成された膨張式保管室の、一部切欠き模式斜視図である。
【図２】  図１の保管室とともに使用するための、ファンアセンブリの第一の実施形態の垂直断面図である。
【図３】  図２と同様の図であるが、ファンアセンブリの第二の実施形態の垂直断面図を示すものである。
【図４】  図２と同様の図であるが、ファンアセンブリの第三の実施形態の垂直断面図を示すものである。
【図５】  図２と同様の図であるが、ファンアセンブリの第四の実施形態の垂直断面図を示すものである。
【符号の説明】
【００２９】
１０  ベースシート
１１  カバーシート
１２  ファスナー
１３  端壁
１４  ファンアセンブリ
１７  ベース板
１８  周縁フランジ
１９  環状片
２１  円形開口
２２  第一のフィルター
２３  ２１の端
２４  凹部
２５  活性炭フィルター
２６  開口
２７  ファン
２８  羽根車
２９  枠
３０  絶縁体
３１  第一のプレナムチャンバー
３３  第二のフィルター
３４  リップ
３５  第二のプレナムチャンバー
３６  ルーバー付きカバー
３８  ポリウレタンフォームフィルター
３９  液体貯蔵容器
４０  ノズル
４１  取りつけ台
４２  ベース板
４３  隔室
４４  開口
４５  ペルチエ素子
４６  ファン
４７  水トラップ
４８  排出管
４９  乾燥剤
【図１】
0004653931.tif 000002
【図２】
0004653931.tif 000003
【図３】
0004653931.tif 000004
【図４】
0004653931.tif 000005
【図５】
0004653931.tif 000006